(57)【要約】【課題】主に各種電子機器の操作に用いられるスイッチ装置及びこれを用いたリモコン送信機に関し、小型化及び高密度実装化が可能なものを提供することを目的とする。【解決手段】回転可能な操作体１７の内周にスイッチ１２を配置すると共に、操作体１７内縁のカム部１８にスイッチ１２のレバー１４を係合させてスイッチ装置１９を構成することによって、小型化が容易に図れ、高密度実装化が可能なスイッチ装置、及びこれを用いたリモコン送信機を得ることができる。【選択図】図１
2006164871.tif 000002
【特許請求の範囲】
【請求項１】
内縁にカム部が形成された回転または移動可能な操作体と、この操作体の内周に配置されると共に、上記カム部にレバーが係合したスイッチからなり、上記操作体の回転または移動操作によって上記レバーを揺動させ、上記スイッチの電気的接離から上記操作体の操作位置を検出するスイッチ装置。
【請求項２】
請求項１記載のスイッチ装置と、複数のキーの押圧操作によって可動接点が固定接点と電気的接離を行う押圧体と、上記スイッチ装置のスイッチ及び上記固定接点に接続された制御手段からなり、上記制御手段が上記スイッチ及び上記固定接点の電気的接離に応じて、送信手段からリモコン信号を送信するリモコン送信機。
【請求項３】
押圧体に突出する壁部を設け、この壁部でスイッチを保持した請求項２記載のリモコン送信機。
【発明の詳細な説明】
【技術分野】
【０００１】
本発明は、主に各種電子機器の操作に用いられるスイッチ装置、及びこれを用いたリモコン送信機に関するものである。
【背景技術】
【０００２】
近年、映像や音響、空調等の各種電子機器の高機能化が進むなか、これらを操作するスイッチ装置やリモコン送信機においても、多様な操作が可能で、かつ小型化の図れるものが求められている。
【０００３】
このような従来のスイッチ装置について、図４を用いて説明する。
【０００４】
図４は従来のスイッチ装置の斜視図であり、同図において、１は上下面に複数の配線パターン（図示せず）が形成された配線基板、２は配線基板１上面に回転可能に装着された略円盤状の操作体で、操作体２の下方外周には外方へ突出する複数のカム部３が、所定間隔で形成されている。
【０００５】
また、４はレバー５が絶縁樹脂製のケース６から揺動可能に突出したスイッチで、このスイッチ４は、レバー５が左右へ揺動することによって、ケース６内に収納された可動接片（図示せず）が複数の固定接片（図示せず）と接離し、その電気信号が複数の端子部７から出力されるように形成されている。
【０００６】
なお、スイッチ４は、レバー５を左右いずれかへ揺動操作した後、操作力を除くと、ケース６内に装着されたばね（図示せず）等によって、元の中立位置へ自然復帰する、所謂、中立復帰型のものとなっている。
【０００７】
さらに、スイッチ４はレバー５が操作体２のカム部３と係合するように、配線基板１上面の操作体２外周に載置されると共に、端子部７が所定の配線パターンに半田付けされ、マイコン等の電子部品によって形成された制御手段（図示せず）に接続されて、スイッチ装置が構成されている。
【０００８】
そして、このように構成されたスイッチ装置は、操作体２が機器の操作部から突出して電子機器やリモコン送信機に装着され、配線基板１の配線パターンがコネクタ等によって機器の電子回路に電気的に接続される。
【０００９】
以上の構成において、操作体２を時計方向または反時計方向へ回転操作すると、操作体２の回転に伴って、下方外周のカム部３Ａまたは３Ｂがスイッチ４のレバー５に当接し、レバー５が左または右方向へ揺動して、可動接片と固定接片との電気的接離が行われる。
【００１０】
なお、この時、操作した回転角度が大きな場合、例えば操作体２を反時計方向へ大きく回転操作した場合には、スイッチ４のレバー５は、先ずカム部３Ｂに押圧されて右方向へ揺動した後、いったん元の中立位置へ自動復帰し、その後、カム部３Ｃに押圧されて再び右方向へ揺動して、電気的接離が二回行われる。
【００１１】
また、これらの電気信号が複数の端子部７から制御手段へ出力され、レバー５が左右いずれの方向へ何回揺動操作され、電気的接離が何回あったかによって、制御手段が操作体２の回転方向と回転角度を検出し、操作体２の操作位置の検出が行われる。
【００１２】
そして、この操作体２の回転操作によって、例えば、テレビやオーディオ、エアコン等の音量・温度の増減や、選局等が切換えられるように構成されているものであった。
【００１３】
なお、この出願の発明に関連する先行技術文献情報としては、例えば、特許文献１が知られている。
【特許文献１】特開２００３−１３２７６５号公報
【発明の開示】
【発明が解決しようとする課題】
【００１４】
しかしながら、上記従来のスイッチ装置においては、スイッチ４が操作体２の外周に配置され、操作体２外周から外方へ突出する複数のカム部３によって、レバー５を揺動操作するように構成されているため、配線基板１上に占める全体の形状が大きくなり、部品の高密度実装化も困難となるという課題があった。
【００１５】
本発明は、このような従来の課題を解決するものであり、小型化が図れ、高密度実装化も可能なスイッチ装置、及びこれを用いたリモコン送信機を提供することを目的とする。
【課題を解決するための手段】
【００１６】
上記目的を達成するために本発明は、以下の構成を有するものである。
【００１７】
本発明の請求項１に記載の発明は、回転または移動可能な操作体の内周にスイッチを配置すると共に、操作体内縁のカム部にスイッチのレバーを係合させてスイッチ装置を構成したものであり、全体の形状を小さくし、小型化が容易に図れるスイッチ装置を得ることができるという作用を有する。
【００１８】
請求項２に記載の発明は、請求項１記載のスイッチ装置と、複数のキーが形成され可動接点が固定接点と電気的接離を行う押圧体、及びこれらに電気的に接続された制御手段からリモコン送信機を構成したものであり、小型化の容易なスイッチ装置を用いることによって、小型化及び高密度実装化が可能なリモコン送信機を実現することができるという作用を有する。
【００１９】
請求項３に記載の発明は、請求項２記載の発明において、押圧体に突出する壁部を設け、この壁部でスイッチを保持したものであり、スイッチの傾きやズレを防ぎ、安定した操作を行うことが可能となるという作用を有する。
【発明の効果】
【００２０】
以上のように本発明によれば、小型化及び高密度実装化が可能なスイッチ装置、及びこれを用いたリモコン送信機を実現できるという有利な効果が得られる。
【発明を実施するための最良の形態】
【００２１】
以下、本発明の実施の形態について、図１〜図３を用いて説明する。
【００２２】
（実施の形態）
図１は本発明の一実施の形態によるリモコン送信機の断面図、図２は同分解斜視図であり、同図において、１１は紙フェノールやガラス入りエポキシ等の配線基板で、上下面に銅箔等によって複数の配線パターン（図示せず）が形成されると共に、配線基板１１の上面にはスイッチ１２が実装載置されている。
【００２３】
そして、このスイッチ１２は、絶縁樹脂製のケース１３から揺動可能に突出したレバー１４が左右へ揺動することによって、ケース１３内に収納された可動接片（図示せず）が複数の固定接片（図示せず）と接離し、その電気信号が複数の端子部１５から出力されるように形成されている。
【００２４】
なお、スイッチ１２は、レバー１４を左右いずれかへ揺動操作した後、操作力を除くと、ケース１３内に装着されたばね（図示せず）等によって、元の中立位置へ自動復帰する、所謂、中立復帰型のものとなっている。
【００２５】
また、１６は略箱状でポリスチレンやＡＢＳ等の絶縁樹脂製の筺体、１７は同じく絶縁樹脂製で下面開口の薄肉円盤状の操作体で、筺体１６上面の開口孔から操作体１７上面が回転可能に突出している。
【００２６】
さらに、図１や図３のスイッチ装置の部分断面斜視図に示すように、スイッチ１２が操作体１７の内周に配置されると共に、操作体１７内縁側面に所定間隔で内方へ突出形成された複数のカム部１８に、レバー１４が係合してスイッチ装置１９が構成されている。
【００２７】
そして、２０はゴムやエラストマ―等のシート状の押圧体で、配線基板１１上面に載置され、略ドーム状の薄肉部を有する複数のキー２１が設けられると共に、このキー２１下面にはカーボン等によって可動接点２２が形成されている。
【００２８】
また、配線基板１１上面には、可動接点２２と所定の間隙を空けて対向する複数の固定接点２３が、カーボン等によって形成されると共に、発光ダイオード等の電子部品によってリモコン信号を送信する送信手段２４や、配線パターンを介してスイッチ１２の端子部１５や固定接点２３に接続された、マイコン等の制御手段２５が形成されている。
【００２９】
さらに、押圧体２０には上方へ突出する略角筒状の壁部２０Ａが設けられ、この壁部２０Ａ内にスイッチ１２のケース１３外周が保持され、スイッチ１２の傾きやズレがないようにして、リモコン送信機が構成されている。
【００３０】
以上の構成において、スイッチ装置１９の操作体１７を時計方向または反時計方向へ回転操作すると、図３に示すように、操作体１７の回転に伴って、内縁側面に突出形成された複数のカム部１８Ａまたは１８Ｂがスイッチ１２のレバー１４に当接し、レバー１４が右または左方向へ揺動して、可動接片と固定接片との電気的接離が行われる。
【００３１】
なお、この時、操作した回転角度が大きな場合、例えば操作体１７を反時計方向へ大きく回転操作した場合には、スイッチ１２のレバー１４は、先ずカム部１８Ｂに押圧されて左方向へ揺動した後、いったん元の中立位置へ自動復帰し、その後、カム部１８Ｃに押圧されて再び左方向へ揺動して、電気的接離が二回行われる。
【００３２】
また、これらの電気信号が複数の端子部１５から制御手段２５へ出力され、レバー１４が左右いずれの方向へ何回揺動操作され、電気的接離が何回あったかによって、制御手段２５が操作体１７の回転方向と回転角度を検出して、操作体１７の操作位置の検出が行われる。
【００３３】
そして、この操作体１７の回転操作によるスイッチ１２の電気的接離に応じて、制御手段２５が送信手段２４から赤外線のリモコン信号を送信し、例えば、テレビやオーディオ、エアコン等の音量・温度の増減や、選局切換え、画面に表示されたカーソルの移動等が遠隔操作によって行われる。
【００３４】
また、リモコン送信機の所定のキー２１を押圧操作すると、略ドーム状の薄肉部が弾性変形して可動接点２２が下方へ移動し、固定接点２３と接触して、複数の固定接点２３の電気的接離が行われ、これら固定接点２３の電気的接離に応じて、制御手段２５が送信手段２４から所定の赤外線のリモコン信号を送信する。
【００３５】
なお、スイッチ１２が操作体１７の内周に配置されると共に、操作体１７内縁に形成された複数のカム部１８にレバー１４が係合してスイッチ装置１９が形成されており、操作体１７外周にスイッチ１２を配置した場合に比べ、配線基板１１の操作体１７周囲にはスペースの余分が生じるため、この分だけ配線基板１１全体の小型化を図ることが可能なように構成されている。
【００３６】
或いは、この操作体１７周囲のスペースに他の電子部品を配置し、高密度実装化することによって、スイッチ装置１９やリモコン送信機に様々な機能を付加し、さらに高機能化を図ることも可能な構成となっている。
【００３７】
このように本実施の形態によれば、回転可能な操作体１７の内周にスイッチ１２を配置すると共に、操作体１７内縁のカム部１８にスイッチ１２のレバー１４を係合させてスイッチ装置を構成することによって、小型化が容易に図れ、高密度実装化が可能なスイッチ装置、及びこれを用いたリモコン送信機を得ることができるものである。
【００３８】
そして、押圧体２０に突出する壁部２０Ａを設け、この壁部２０Ａでスイッチ１２を保持することによって、スイッチ１２の傾きやズレを防ぎ、安定した操作を行うことも可能となる。
【００３９】
なお、以上の説明では、操作体１７を回転操作する構成についてのみ説明したが、上下或いは左右方向等に操作体１７を移動操作可能に形成し、この内縁のカム部にスイッチ１２を係合させ、操作体の水平方向の操作位置を検出する構成としても、本実施の形態は可能である。
【００４０】
また、スイッチ１２やカム部１８も、操作体１７の回転や移動操作に応じて、スイッチ１２の電気的接離が繰返されるものであれば、様々な操作方式や形状のものにおいて実施が可能である。
【産業上の利用可能性】
【００４１】
本発明によるスイッチ装置及びこれを用いたリモコン送信機は、小型化及び高密度実装化が可能なものが得られ、主に各種電子機器の操作用として有用である。
【図面の簡単な説明】
【００４２】
【図１】本発明の一実施の形態によるリモコン送信機の断面図
【図２】同分解斜視図
【図３】同スイッチ装置の部分断面斜視図
【図４】従来のスイッチ装置の斜視図
【符号の説明】
【００４３】
１１  配線基板
１２  スイッチ
１３  ケース
１４  レバー
１５  端子部
１６  筐体
１７  操作体
１８、１８Ａ、１８Ｂ、１８Ｃ  カム部
１９  スイッチ装置
２０  押圧体
２０Ａ  壁部
２１  キー
２２  可動接点
２３  固定接点
２４  送信手段
２５  制御手段
【図１】
2006164871.tif 000003
【図２】
2006164871.tif 000004
【図３】
2006164871.tif 000005
【図４】
2006164871.tif 000006